(57)【要約】【課題】信頼性の高い二次電池を提供する。【解決手段】開口を有し巻回電極体１を収容する角形外装体２と、角形外装体２の開口を封口する封口板３を有し、封口板３には外部側絶縁部材１３を介して負極端子９が取り付けられている。負極板に電気的に接続された負極集電体８の端子接続部８ａには貫通穴８ｄが設けられ、負極端子９は貫通穴８ｄに挿入され負極集電体８の端子接続部８ａ上にカシメられている。負極端子９におけるカシメ部９ｘの表面には樹脂層６０が設けられている。【選択図】図７
2017041320.tif 000002
【特許請求の範囲】
【請求項１】
正極板及び負極板を有する電極体と、
開口を有し前記電極体を収容する外装体と、
端子取り付け孔を有し前記開口を封口する封口板と、
前記正極板又は前記負極板に電気的に接続された集電体と、
前記集電体に接続され、前記端子取り付け孔内に配置された端子と、を備えた二次電池であって、
前記集電体は貫通穴を有し、
前記端子は、前記貫通穴内に配置されると共に前記集電体の前記電極体側で拡径され、
前記端子において前記電極体側で拡径された部分の前記電極体側にはバリ脱離防止部材が配置された二次電池。
【請求項２】
前記バリ脱離防止部材は、前記端子の表面に設けられた樹脂層である請求項１に記載の二次電池。
【請求項３】
前記樹脂層は光硬化樹脂である請求項２に記載の二次電池。
【請求項４】
前記樹脂層は、基材と前記基材表面に設けられた接着層である請求項２に記載の二次電池。
【請求項５】
前記バリ脱離防止部材は、前記封口板ないし前記集電体に接続された樹脂製カバー又は金属製カバーである請求項１に記載の二次電池。
【請求項６】
前記貫通穴の縁部から封口板に対して垂直な方向に沿って延びる直線を直線Ｌとしたとき、前記バリ脱離防止部材は、前記端子の前記電極体側であって前記直線Ｌ上に配置されている請求項１〜５のいずれかに記載に二次電池。
【請求項７】
正極板及び負極板を有する電極体と、
開口を有し前記電極体を収容する外装体と、
端子取り付け孔を有し前記開口を封口する封口板と、
前記正極板又は前記負極板に電気的に接続された集電体と、
前記集電体に接続され、前記端子取り付け孔内に配置された端子と、を備え、
前記集電体は貫通穴を有し、
前記端子は、前記貫通穴内に配置されると共に前記集電体の前記電極体側で拡径され、
前記端子において前記電極体側で拡径された部分の前記電極体側にはバリ脱離防止部材が配置された二次電池の製造方法であって、
前記端子を前記封口板側から前記集電体の前記貫通孔に挿入し、前記端子を前記集電体上でカシメるカシメ工程と、
前記端子においてカシメられた部分の前記電極体側にバリ脱離防止部材を配置する配置工程を有する二次電池の製造方法。
【請求項８】
前記配置工程は、
前記端子のカシメられた部分の表面に樹脂層を形成する工程である請求項７に記載の二次電池の製造方法。
【請求項９】
前記端子のカシメられた部分の表面に樹脂層を形成する工程は、
前記端子のカシメられた部分の表面に樹脂を塗布し、前記樹脂に光を照射し硬化させる工程である請求項８に記載の二次電池の製造方法。
【請求項１０】
前記端子のカシメられた部分の表面に樹脂層を形成する工程は、
前記端子のカシメられた部分の表面に、基材及び前記基材表面に設けられた接着層を有するテープを貼り付ける工程である請求項８に記載の二次電池の製造方法。
【請求項１１】
前記配置工程は、
前記端子においてカシメられた部分を覆う樹脂製カバー又は金属製カバーを前記封口板ないし前記集電体に接続する工程である請求項７に記載の二次電池の製造方法。
【請求項１２】
前記カシメ工程と前記配置工程の間に、
前記端子においてカシメられた部分の拡径方向の先端部を薄肉化し、薄肉化した部分と前記集電体を高エネルギー線の照射により溶接する工程を有する請求項７〜１１のいずれかに記載の二次電池の製造方法。
【請求項１３】
前記貫通穴の縁部から封口板に対して垂直な方向に沿って延びる直線を直線Ｌとしたとき、前記バリ脱離防止部材は、前記端子の前記電極体側であって前記直線Ｌ上に配置されている請求項７〜１２のいずれかに記載の二次電池の製造方法。
【発明の詳細な説明】
【技術分野】
【０００１】
本発明は、二次電池及びその製造方法に関する。
【背景技術】
【０００２】
電気自動車（ＥＶ）やハイブリッド電気自動車（ＨＥＶ、ＰＨＥＶ）の駆動用電源において、アルカリ二次電池や非水電解質二次電池が使用されている。これらの二次電池をＥＶないしＨＥＶ、ＰＨＥＶ等の車載用電池として使用する場合、高容量ないし高出力特性が要求されるので、多数の二次電池が直列ないし並列に接続された組電池として使用される。  
【０００３】
これらの二次電池では、開口を有する外装体と、その開口を封口する封口板により電池ケースが形成される。電池ケース内には、正極板、負極板及びセパレータからなる電極体が、電解質と共に収容される。封口板には正極端子及び負極端子が取り付けられる。正極端子は正極集電体を介して正極板に電気的に接続され、負極端子は負極集電体を介して負極板に電気的に接続される。
【０００４】
端子と集電体の接続方法として、例えば集電体に貫通穴を設けて、この貫通穴に端子の一方端側を挿入し、端子の先端をカシメることにより端子と集電体を接続する方法がある。
【０００５】
例えば、特許文献１では、集電体の貫通穴の周囲にザグリ穴を設け、端子の先端部をザグリ穴内で拡径し、端子において拡径された部分とザグリ穴の縁部を溶接接続することが開示されている。
【先行技術文献】
【特許文献】
【０００６】
【特許文献１】特開２０１１−７６８６７号公報
【発明の概要】
【発明が解決しようとする課題】
【０００７】
発明者らは二次電池を開発するなかで、以下の課題が存在することを見出した。図１３に示すように、集電体１０８の貫通穴に端子１１９を挿入し、先端部をカシメたとき、端子において金型と接する部分にバリ２００が生じる場合がある。そして、端子１１９が電池内部においてカシメられた場合、即ち、図１３において上方が電池内部側である場合、カシメ部に生じたバリ２００が端子１１９から脱離する虞がある。そして、端子１１９から脱離したバリ２００が電極体中に侵入し、正極板と負極板に短絡が生じる虞がある。
【０００８】
本発明は、内部短絡がより確実に防止された信頼性のより高い二次電池を提供することを目的とする。
【課題を解決するための手段】
【０００９】
本発明の一つの形態の二次電池は、
正極板及び負極板を有する電極体と、
開口を有し前記電極体を収容する外装体と、
端子取り付け孔を有し前記開口を封口する封口板と、
前記正極板又は前記負極板に電気的に接続された集電体と、
前記集電体に接続され、前記端子取り付け孔内に配置された端子と、を備えた二次電池
であって、
前記集電体は貫通穴を有し、
前記端子は、前記貫通穴内に配置されると共に前記集電体の前記電極体側で拡径され、
前記端子において前記電極体側で拡径された部分の前記電極体側にはバリ脱離防止部材が配置された二次電池。
【００１０】
上記構成により、端子をカシメて拡径した際にバリが生じたとしても、バリが端子から脱離し、電極体内に侵入することを防止できる。よって、内部短絡がより確実に防止されたより信頼性の高い二次電池となる。
【００１１】
前記バリ脱離防止部材は、前記端子の表面に設けられた樹脂層であることが好ましい。
【００１２】
前記樹脂層は光硬化樹脂であることが好ましい。なお、光硬化樹脂とは、紫外線等の光を照射することにより硬化する樹脂である。前記樹脂層を形成する方法として、樹脂を塗布し、その後乾燥させるようにしてもよい。
【００１３】
前記樹脂層は、基材と前記基材表面に設けられた接着層であることが好ましい。
【００１４】
前記バリ脱離防止部材は、前記封口板ないし前記集電体に接続された樹脂製カバー又は金属製カバーであることが好ましい。樹脂製カバー又は金属製カバーは、電池内部側に露出する端子の全体を覆うことが好ましい。
【００１５】
前記貫通穴の縁部から封口板に対して垂直な方向に沿って延びる直線を直線Ｌとしたとき、前記バリ脱離防止部材は、前記端子の前記電極体側であって前記直線Ｌ上に配置されていることが好ましい。
【００１６】
本発明の一つの形態の二次電池の製造方法は、
正極板及び負極板を有する電極体と、
開口を有し前記電極体を収容する外装体と、
端子取り付け孔を有し前記開口を封口する封口板と、
前記正極板又は前記負極板に電気的に接続された集電体と、
前記集電体に接続され、前記端子取り付け孔内に配置された端子と、を備え、
前記集電体は貫通穴を有し、
前記端子は、前記貫通穴内に配置されると共に前記集電体の前記電極体側で拡径され、
前記端子において前記電極体側で拡径された部分の前記電極体側にはバリ脱離防止部材が配置された二次電池の製造方法であって、
前記端子を前記封口板側から前記集電体の前記貫通孔に挿入し、前記端子を前記集電体上でカシメるカシメ工程と、
前記端子においてカシメられた部分の前記電極体側にバリ脱離防止部材を配置する配置工程を有する。
【００１７】
前記配置工程は、
前記端子のカシメられた部分の表面に樹脂層を形成する工程であることが好ましい。
【００１８】
前記端子のカシメられた部分の表面に樹脂層を形成する工程は、
前記端子のカシメられた部分の表面に樹脂を塗布し、前記樹脂に光を照射し硬化させる工程であることが好ましい。
【００１９】
前記端子のカシメられた部分の表面に樹脂層を形成する工程は、
前記端子のカシメられた部分の表面に、基材及び前記基材表面に設けられた接着層を有
するテープを貼り付ける工程であることが好ましい。
【００２０】
前記配置工程は、
前記端子においてカシメられた部分を覆う樹脂製カバー又は金属製カバーを前記封口板ないし前記集電体に接続する工程であることが好ましい。
【００２１】
前記カシメ工程と前記配置工程の間に、前記端子においてカシメられた部分の拡径方向の先端部を薄肉化し、薄肉化した部分と前記集電体を高エネルギー線の照射により溶接する工程を有することが好ましい。
【００２２】
前記貫通穴の縁部から封口板に対して垂直な方向に沿って延びる直線を直線Ｌとしたとき、前記バリ脱離防止部材は、前記端子の前記電極体側であって前記直線Ｌ上に配置されていることが好ましい。
【図面の簡単な説明】
【００２３】
【図１】図１Ａは実施形態に係る二次電池の断面図であり、図１Ｂは図１ＡのＩＢ−ＩＢ線に沿った断面図である。
【図２】実施形態に係る二次電池の負極端子周辺の組立前の斜視図である。
【図３】負極集電体の端子接続部の電極体側の面の平面図である。
【図４】図３におけるＩＶ−ＩＶ線に沿った断面図である。
【図５】実施形態に係る二次電池の負極端子周辺の封口板の長手方向に沿った断面図である。
【図６】実施形態に係る二次電池における負極端子と負極集電体の接続部を示す図である。
【図７】実施形態に係る二次電池の負極端子周辺の封口板の長手方向に沿った断面図であり、端子表面に樹脂層を配置した図である。
【図８】実施形態に係る二次電池における負極端子と負極集電体の接続部を示す図であり、端子表面に樹脂層を配置した図である。
【図９】変形例に係る二次電池の負極端子周辺の封口板の長手方向に沿った断面図であり、端子表面に樹脂層を配置した図である。
【図１０】変形例に係る二次電池の負極端子周辺の封口板の長手方向に沿った断面図であり、負極端子を覆う樹脂製カバーを負極集電体に接続した図である。
【図１１】変形例に係る二次電池の負極端子周辺の封口板の長手方向に沿った断面図であり、負極端子を覆う樹脂製カバーを負極端子に接続した図である。
【図１２】変形例に係る二次電池の負極端子周辺の封口板の長手方向に沿った断面図であり、負極端子を覆う金属製カバーを負極集電体に接続した図である。
【図１３】端子におけるカシメ部の拡大断面図である。
【発明を実施するための形態】
【００２４】
以下に本発明の実施形態を図面を用いて詳細に説明する。なお、本発明は以下の形態に限定されない。まず、図１Ａ及び図１Ｂを用いて実施形態に係る角形二次電池２０の構成を説明する。
【００２５】
図１Ａ及び図１Ｂに示すように、角形二次電池２０は、上方に開口を有する金属製の角形外装体２と、当該開口を封口する金属製の封口板３を備える。角形外装体２及び封口板３により電池ケースが構成される。角形外装体２及び封口板３は、それぞれ金属製であり、アルミニウム又はアルミニウム合金製であることが好ましい。前記角形外装体２内には、正極板と負極板とがセパレータ（いずれも図示省略）を介して巻回された扁平状の巻回電極体１が電解液と共に収容される。正極板は、金属製の正極芯体上に正極活物質を含む正極活物質合剤層が形成され、長手方向に沿って正極芯体が露出する部分が形成されたも
のである。また負極板は、金属製の負極芯体上に負極活物質を含む負極活物質合剤層が形成され、長手方向に沿って負極芯体が露出する部分が形成されたものである。なお、正極芯体はアルミニウム又はアルミニウム合金製であり、負極芯体は銅又は銅合金製であることが好ましい。
【００２６】
巻回電極体１は巻回軸方向の一方側に正極活物質合剤層が形成されていない正極芯体露出部４を有し、巻回軸方向の他方側に負極活物質合剤層が形成されていない負極芯体露出部５を有する。正極芯体露出部４には、正極集電体６が溶接接続されている。正極集電体６には正極端子７が接続されている。負極芯体露出部５には、負極集電体８が溶接接続されている。負極集電体８には負極端子９が接続されている。なお、正極芯体露出部４において正極集電体６が配置される側と反対側の面には正極集電体受け部品が配置されている。また、負極芯体露出部５において負極集電体８が配置される側と反対側の面には負極集電体受け部品３０が配置されている。
【００２７】
正極集電体６は、正極端子７に接続される端子接続部、端子接続部から巻回電極体１側に延びるリード部６ｂ、リード部６ｂの先端側に設けられ正極芯体露出部４に接続される接続部６ｃを有する。正極集電体６はアルミニウム又はアルミニウム合金製であることが好ましい。また、正極集電体６の厚みは０．５〜２ｍｍ程度とすることが好ましい。
【００２８】
負極集電体８は、負極端子９に接続される端子接続部８ａ、端子接続部８ａから巻回電極体１側に延びるリード部８ｂ、リード部８ｂの先端側に設けられ負極芯体露出部５に接続される接続部８ｃを有する。負極集電体８は銅又は銅合金製であることが好ましい。また、負極集電体８の厚みは０．５〜２ｍｍ程度とすることが好ましい。
【００２９】
正極端子７及び正極集電体６はそれぞれ内部側絶縁部材１０、外部側絶縁部材１１を介して封口板３に固定される。負極端子９及び負極集電体８はそれぞれ内部側絶縁部材１２、外部側絶縁部材１３を介して封口板３に固定される。内部側絶縁部材１０、１２は、封口板３と各端子の間にそれぞれ配置され、外部側絶縁部材１１、１３は、封口板３と各集電体の間にそれぞれ配置されている。正極端子７は鍔部７ａと、鍔部７ａの一方面側に設けられた挿入部を有する。また、負極端子９は鍔部９ａと鍔部９ａの一方面側に設けられた挿入部９ｂを有する。
【００３０】
巻回電極体１は絶縁シート１４に覆われた状態で角形外装体２内に収容される。絶縁シート１４は、巻回電極体１を覆い巻回電極体１と角形外装体２の間に配置されている。封口板３は角形外装体２の開口縁部にレーザー溶接等により溶接接続される。封口板３は電解液注液孔１５を有し、この電解液注液孔１５は電解液を注液後、封止栓１６により封止される。封口板３には電池内部の圧力が高くなった場合にガスを排出するためのガス排出弁１７が形成されている。正極端子７は、金属製であることが好ましく、アルミニウム又はアルミニウム合金からなることがより好ましい。負極端子９は、金属製であることが好ましく、銅又は銅合金からなることが好ましい。また、負極端子９は、アルミニウム又はアルミニウム合金と、銅又は銅合金とを組み合わせて端子とすることもできる。内部側絶縁部材１０、外部側絶縁部材１１、内部側絶縁部材１２及び外部側絶縁部材１３は樹脂製であることが好ましい。
【００３１】
次に、巻回電極体１の製造方法について説明する。
【００３２】
正極活物質として例えばコバルト酸リチウムを含む正極合剤を、正極芯体である厚さ１５μｍの矩形状のアルミニウム箔の両面に塗布して正極活物質合剤層を形成し、短辺方向の一方側の端部に正極活物質合剤が塗布されていない所定幅の正極芯体露出部を形成することにより、正極板を作製する。また。負極活物質として例えば天然黒鉛粉末を含む負極
合剤を、負極芯体である厚さ８μｍの矩形状の銅箔の両面に塗布して負極活物質合剤層を形成し、短辺方向の一方側の端部に負極活物質合剤が塗布されていない所定幅の負極芯体露出部を形成することにより、負極板を作製する。
【００３３】
上述の方法で得られた正極板の正極芯体露出部と負極板の負極芯体露出部とがそれぞれ対向する電極の活物質合剤層と重ならないようにずらして、ポリエチレン製の多孔質セパレータを間に介在させて巻回する。これにより、一方の端部に複数のアルミニウム箔が積層された正極芯体露出部４が形成され、他方の端部に複数の銅箔が積層された負極芯体露出部５を備えた扁平状の巻回電極体１を作製する。
【００３４】
次に、正極集電体６及び負極集電体８の封口板３への取り付け状態を負極側を例に説明する。なお、正極側についても負極側と同様の構成とすることができる。
【００３５】
図２は、負極端子９側の組立前の斜視図である。封口板３の電池外部側に外部側絶縁部材１３が配置され、封口板３の電池内部側に内部側絶縁部材１２及び負極集電体８の端子接続部８ａを配置される。そして、電池外部側から負極端子９の挿入部９ｂが、外部側絶縁部材１３、封口板３、内部側絶縁部材１２及び端子接続部８ａのそれぞれに設けられた貫通穴に挿入され、挿入部９ｂの先端側がカシメられる。これにより、負極端子９、外部側絶縁部材１３、封口板３、内部側絶縁部材１２及び端子接続部８ａが一体的に固定される。なお、封口板３に設けられた貫通穴が端子取り付け孔３ａとなる。また、外部側絶縁部材１３は筒状部１３ａを有し、この筒状部１３ａが封口板３と挿入部９ｂの間に配置される。負極端子９は封口板３の端子取り付け孔３ａ内に配置されると共に、封口板３よりも電池外部側に突出している。
【００３６】
図３は負極集電体８の端子接続部８ａの平面図であり、巻回電極体１側の面を示す図である。図４は、図３におけるＩＶ−ＩＶ線に沿った断面図である。端子接続部８ａには貫通穴８ｄが形成され、貫通穴８ｄの周囲にはザグリ穴８ｅが形成されている。
【００３７】
貫通穴８ｄの平面視の形状は楕円形又はトラック形状であることが好ましい。そして、負極端子９の挿入部９ｂの封口板３に対して平行な方向の断面形状を、貫通穴８ｄの平面視の形状と同様の形状とすることが好ましい。これにより、封口板３に対して負極端子９が回転することを防止できる。
【００３８】
ザグリ穴８ｅの平面視の形状は楕円形又はトラック形状であることが好ましい。このような構成であると、負極端子９の挿入部９ｂがザグリ穴８ｅ内でカシメられることにより、封口板３に対して負極端子９が回転することをより確実に防止できる。
【００３９】
このような負極集電体８を用いて、上述の方法で負極端子９、外部側絶縁部材１３、封口板３、内部側絶縁部材１２及び負極集電体８を一体的に固定する。
【００４０】
図５は、角形二次電池２０の負極端子９の周辺の断面図であり、封口板３の長手方向に沿った断面図である。なお、図５において上方が電池内部側であり、下方が電池外部側である。また、図中右側に位置する挿入部９ｂの先端と端子接続部８ａのザグリ穴８ｅの縁部の接続部については、溶接接続する前の状態を示している。図５に示すように、負極端子９の挿入部９ｂは、電池外部側から外部側絶縁部材１３、封口板３、内部側絶縁部材１２及び負極集電体８の端子接続部８ａにそれぞれに設けられた貫通穴に挿入され先端側が、ザグリ穴８ｅ内でカシメられ拡径されている。そして、挿入部９ｂにおいてカシメられた部分（カシメ部９ｘ）の先端側は更にプレス加工され薄肉部９ｃが形成される。その後、薄肉部９ｃの先端と端子接続部８ａのザグリ穴８ｅの縁部にレーザー等の高エネルギー線を照射することにより溶接部５０が形成される。
【００４１】
図６は、負極端子９と負極集電体８の接続部を巻回電極体１側から見た図である。溶接部５０は、ザグリ穴８ｅの縁部に沿って、弧状に形成される。なお、負極端子９と端子接続部８ａを溶接することは必須の構成ではない。
【００４２】
負極端子９を負極集電体８の端子接続部８ａに接続した後、図７及び図８に示すように、負極端子９のカシメ部９ｘの表面に樹脂層６０を設ける。これにより、負極端子９をカシメた際ないし薄肉化した際に負極端子９の表面にバリが生じたとしても、樹脂層６０により、バリが負極端子９から脱離して巻回電極体１の内部に侵入することを防止できる。なお、図７において上方が電池内部側である。
【００４３】
図７に示すように、負極集電体８の端子接続部８ａに設けられた貫通穴８ｄの縁部から封口板３に対して垂直な方向に沿って延びる直線を直線Ｌとしたとき、樹脂層６０は少なくとも負極端子９において直線Ｌ上に位置する部分Ｘの巻回電極体１側に設けられている場合、特に効果的である。また、負極端子９が電池内部側に凹部９ｙを有し、凹部９ｙの開口縁部９ｚの表面に樹脂層６０が設けられている場合、特に効果的である。また、負極端子９のカシメ部９ｘにおいて薄肉部９ｃよりも厚みの厚い部分の巻回電極体１側に樹脂層６０設けられている場合、特に効果的である。
【００４４】
負極端子９の表面に樹脂層６０を設ける方法としては、負極端子９の表面に流動性を有する樹脂を塗布し、この樹脂を硬化させることが好ましい。樹脂の塗布方法は特に限定されないが、インクジェット塗布、樹脂の滴下等が好ましい。特に、塗布範囲及び塗布厚みを制御し易いインクジェット塗布が好ましい。
【００４５】
このような樹脂としては、光を照射することにより硬化する光硬化樹脂が好ましい。光硬化樹脂としては、硬化速度等の点から紫外線硬化性樹脂が最好ましい。紫外線硬化性樹脂は、紫外線を照射すると瞬時に硬化するため乾燥工程が不要である。紫外線硬化性樹脂としては、主成分がアクリレート、変性アクリレートや不飽和ポリエステルであるラジカル重合型のもの、主成分がエポキシ樹脂やビニルエーテルであるカチオン重合型のもの等が挙げられる。
【００４６】
樹脂層６０の厚みは１００μｍ以上とすることが好ましい。なお、樹脂層６０の厚みは、必ずしもバリの大きさ以上の厚みとする必要はない。端子においてバリが発生する位置は、カシメないし薄肉化の際に金型と接する部分である。よって、端子において少なくとも金型と接する部分に樹脂層６０が設けられていればよい。図７及び図８に示す形態においては、負極端子９の電池内部側の凹部９ｙの内部には樹脂層６０が設けられていない領域が存在する。凹部９ｙの内部全体にも樹脂層６０を設けるようにしてもよい。正極側についても負極側と同様に正極端子７においてカシメられた部分の表面に樹脂層６０を設けることができる。なお、負極集電体８の端子接続部８ａにザグリ穴８ｅを設けなくてもよい。また、負極端子９に薄肉部９ｃを設けなくてもよい。但し、負極端子９に薄肉部９ｃを設けた場合、負極端子９によりバリが生じやすくなるため、本発明がより効果的となる。したがって、薄肉部９ｃの表面上に樹脂層６０が設けられていることがより好ましい。
【００４７】
正極側についても、負極側と同様の方法で、正極集電体６及び正極端子７を封口板３に取り付ける。
【００４８】
＜二次電池の組み立て＞
上述の方法で封口板３に取り付けられた正極集電体６及び負極集電体８を、巻回電極体１の正極芯体露出部４及び負極芯体露出部５のそれぞれに抵抗溶接により接続する。その後、正極集電体６及び負極集電体８に接続された巻回電極体１を、箱状に折り曲げられた
絶縁シート１４内に配置した状態で、角形外装体２に挿入する。そして、封口板３と角形外装体２の接合部をレーザー溶接により溶接し、角形外装体２の開口部を封口する。その後、封口板３に設けられた電解液注液孔１５から非水電解液を注液し、封止栓１６により電解液注液孔１５を封止し、角形二次電池２０を作製する。
【００４９】
＜変形例１＞
図９は、変形例１に係る角形二次電池の図７に対応する図である。図９において上方が電池内部側である。変形例１に係る角形二次電池においては、バリ脱離防止部材としてテープ７０を用いる。テープ７０は基材７０ａと基材７０ａの表面に設けられた接着層７０ｂを有する。上述の実施形態に係る角形二次電池２０と同様の方法で負極端子９を負極集電体８に接続した後、負極端子９においてカシメられた部分であるカシメ部９ｘの表面にテープ７０を貼り付ける。これにより、負極端子９をカシメた際ないし薄肉化した際に負極端子９の表面にバリが生じたとしても、テープ７０により、バリが負極端子９から脱離して巻回電極体１の内部に侵入することを防止できる。
【００５０】
なお、基材７０ａとしては、ポリプロピレン、ポリイミド、ポリフェニレンサルファイド、ポリエチレン、ポリエステル、ポリエチレンナフタレート等から選択される部材あるいはそれらの混合物であることが好ましい。接着層７０ｂは、ゴム系接着剤、アクリル系接着剤、ポリエチレン系接着剤等から選択される部材あるいはそれらの混合物であることが好ましい。
【００５１】
＜変形例２＞
図１０は、変形例２に係る角形二次電池の図７に対応する図である。図１０において上方が電池内部側である。変形例２に係る角形二次電池においては、バリ脱離防止部材として樹脂製カバー８０を用いる。樹脂製カバー８０はカップ形状であり、開口の縁部が負極集電体８の端子接続部８ａに接続されている。カップ形状としては、底部と底部の外周縁に設けられた環状の側壁を有することが好ましい。上述の実施形態に係る角形二次電池２０と同様の方法で負極端子９を負極集電体８に接続した後、負極端子９のカシメ部９ｘを樹脂製カバー８０で覆うようにして、樹脂製カバー８０を負極集電体８の端子接続部８ａに接続する。これにより、負極端子９をカシメた際ないし薄肉化した際に負極端子９の表面にバリが生じたとしても、バリが負極端子９から脱離して巻回電極体１の内部に侵入することを防止できる。なお、図１０に示すように樹脂製カバー８０が、電池内部側に露出する負極端子９の全体を覆うことが好ましい。
【００５２】
なお、樹脂製カバー８０を封口板３の内面に接続するようにしてもよい。樹脂製カバー８０と負極集電体８ないし封口板３の接続方法は特に限定されない。接着剤等により接着してもよいし、熱溶着であってもよい。あるいはテープ等により貼り付けてもよいし、嵌合により接続してもよい。あるいは、封口板３と負極集電体８の間に配置される内部側絶縁部材１２に樹脂製カバー８０を接続することもできる。
【００５３】
＜変形例３＞
図１１は、変形例３に係る角形二次電池の図７に対応する図である。変形例３では、樹脂製カバーの構成が変形例２とは異なる。図１１に示すように、変形例３で用いる樹脂製カバー８１は、負極端子９のカシメ部９ｘを覆うカバー部８１ａとカバー部８１ａに設けられた嵌合部８１ｂを有する。嵌合部８１ｂが負極端子９の凹部９ｙに嵌合される。これにより、樹脂製カバー８１が負極端子９に接続される。なお、更に負極端子９と樹脂製カバー８１を接着剤等で接着するようにしてもよい。
【００５４】
＜変形例４＞
図１２は、変形例４に係る角形二次電池の図７に対応する図である。変形例４では、樹
脂製カバーの代わりに金属製カバーを用いる。図１２に示すように、金属製カバー９０は負極端子９のカシメ部９ｘを覆う。金属製カバー９０はカップ形状であることが好ましい。金属製カバー９０は負極集電体８の端子接続部８ａに溶接することにより金属製カバー９０を負極集電体８に接続することが好ましい。溶接としては、レーザー等の高エネルギー線の照射等により溶接が好ましい。金属製カバー９０はカシメ部９ｘを覆うカバー部９０ａとフランジ部９０ｂを有し、フランジ部９０ｂを負極集電体８の端子接続部８ａに溶接接続することが好ましい。
【００５５】
＜その他＞
上述の実施形態に係る角形二次電池２０、変形例１〜４に係る二次電池においては、負極側にバリ脱離防止部材を配置する例を示したが、本発明においては正極側及び負極側の少なくとも一方のバリ脱離防止部材が配置されていればよい。
【００５６】
上記実施の形態では、巻回電極体を用いた例を示したが、複数の正極板と複数の負極板をセパレータを介して積層した積層型電極体を用いることができる。また、集電体と芯体露出部の接続方法は特に限定されず、抵抗溶接、超音波溶接、レーザー等の高エネルギー線の照射による溶接等を用いることができる。
【００５７】
正極板と正極端子の間の導電経路又は負極板と負極端子の間の導電経路に感圧式の電流遮断機構を設けることもできる。
【００５８】
バリ脱離防止部材としては、レーザー等の高エネルギー線を透過しないあるいは、透過し難い（例えば、透過率が８０％以下あるいは５０％以下）のものを用いることができる。
【００５９】
端子のカシメ部を平面視したとき、バリ脱離防止部材が、端子のカシメ部の面積の５０％以上を覆うことが好ましく、８０％以上を覆うことが好ましく、１００％覆うことがより好ましい。
【符号の説明】
【００６０】
１・・・巻回電極体
２・・・角形外装体
３・・・封口板  
３ａ・・・端子取り付け孔
４・・・正極芯体露出部
５・・・負極芯体露出部
６・・・正極集電体  
６ｂ・・・リード部  ６ｃ・・・接続部
７・・・正極端子  ７ａ・・・鍔部  
８・・・負極集電体  
８ａ・・・端子接続部  ８ｂ・・・リード部  ８ｃ・・・接続部
８ｄ・・・貫通穴  ８ｅ・・・ザグリ穴  
９・・・負極端子  
９ａ・・・鍔部  ９ｂ・・・挿入部  ９ｃ・・・薄肉部
９ｘ・・・カシメ部    ９ｙ・・・凹部  ９ｚ・・・開口縁部
１０、１２・・・内部側絶縁部材
１１、１３・・・外部側絶縁部材
１３ａ・・・筒状部
１４・・・絶縁シート
１５・・・電解液注液孔
１６・・・封止栓
１７・・・ガス排出弁
２０・・・角形二次電池
３０・・・負極集電体受け部品
５０・・・溶接部
６０・・・樹脂層
７０・・・テープ
７０ａ・・・基材
７０ｂ・・・接着層
８０・・・樹脂製カバー
８１・・・樹脂製カバー
８１ａ・・・カバー部
８１ｂ・・・嵌合部
９０・・・金属製カバー
９０ａ・・・カバー部
９０ｂ・・・フランジ部
【図１】
2017041320.tif 000003
【図２】
2017041320.tif 000004
【図３】
2017041320.tif 000005
【図４】
2017041320.tif 000006
【図５】
2017041320.tif 000007
【図６】
2017041320.tif 000008
【図７】
2017041320.tif 000009
【図８】
2017041320.tif 000010
【図９】
2017041320.tif 000011
【図１０】
2017041320.tif 000012
【図１１】
2017041320.tif 000013
【図１２】
2017041320.tif 000014
【図１３】
2017041320.tif 000015